(57)【要約】【課題】居室空間と外部空間との空気の流通を確実に防止する空気搬送システムを提供する。【解決手段】空気搬送システムは、居室空間と外部空間とを仕切る仕切空気を搬送する空気搬送システムであって、空気を送風する第１の送風機を有し、第１の送風機によって形成される仕切空気が通る第１の仕切開口が形成された第１の空気搬送装置と、空気を送風する第２の送風機を有し、第２の送風機によって形成される仕切空気が通る第２の仕切開口が形成された第２の空気搬送装置と、を備え、第１の仕切開口と第２の仕切開口とを結ぶ境界線の内側が居室空間、境界線の外側が外部空間となっており、第１の空気搬送装置及び第２の空気搬送装置は、第１の仕切開口に流れる仕切空気の方向と第２の仕切開口に流れる仕切空気の方向とが、外部空間に向くように配置されている。【選択図】図２
2018071838.tif 000002
【特許請求の範囲】
【請求項１】
居室空間と外部空間とを仕切る仕切空気を搬送する空気搬送システムであって、
空気を送風する第１の送風機を有し、前記第１の送風機によって形成される仕切空気が通る第１の仕切開口が形成された第１の空気搬送装置と、
空気を送風する第２の送風機を有し、前記第２の送風機によって形成される仕切空気が通る第２の仕切開口が形成された第２の空気搬送装置と、を備え、
前記第１の仕切開口と前記第２の仕切開口とを結ぶ境界線の内側が前記居室空間、前記境界線の外側が前記外部空間となっており、
前記第１の空気搬送装置及び前記第２の空気搬送装置は、
前記第１の仕切開口に流れる仕切空気の方向と前記第２の仕切開口に流れる仕切空気の方向とが、前記外部空間に向くように配置されている
空気搬送システム。
【請求項２】
前記第１の仕切開口及び前記第２の仕切開口は、
いずれも仕切空気を吹き出す吹出口である
請求項１記載の空気搬送システム。
【請求項３】
前記第１の仕切開口及び前記第２の仕切開口は、
一方が仕切空気を吹き出す吹出口であり、
他方が仕切空気を吸い込む吸込口である
請求項１記載の空気搬送システム。
【請求項４】
機能が付加された付加機能空気を発生する付加機能空気発生装置を更に備え、
前記第１の仕切開口及び前記第２の仕切開口は、
それぞれ３個以上に区画されて一列に並べられて、複数の第１の副仕切開口及び複数の第２の副仕切開口となっており、
前記付加機能空気発生装置は、
隣り合う両側の前記第１の副仕切開口に挟まれた第１の副仕切開口と、隣り合う両側の前記第２の副仕切開口に挟まれた第２の副仕切開口とに、付加機能空気を流す
請求項１〜３のいずれか１項に記載の空気搬送システム。
【請求項５】
前記第１の空気搬送装置は、
前記居室空間の天井側に設けられており、
前記第２の空気搬送装置は、
前記居室空間の床面側に設けられている
請求項１〜４のいずれか１項に記載の空気搬送システム。
【請求項６】
前記第１の空気搬送装置は、
前記第２の空気搬送装置の位置よりも斜め上方の位置に設けられている
請求項５記載の空気搬送システム。
【発明の詳細な説明】
【技術分野】
【０００１】
本発明は、居室空間と外部空間とを仕切る空気を搬送する空気搬送システムに関する。
【背景技術】
【０００２】
従来、人が過ごす居室空間に外部空間の空気が入り込むことを防止することを目的として、居室空間と外部空間とを、空気の流れであるエアカーテンによって仕切る技術が知られている。特許文献１には、建物の出入口に設置された防熱扉が開いたときに屋外からの空気が屋内に入り込むことを防止するためにエアカーテンを形成するエアカーテン形成装置が開示されている。特許文献１は、防熱扉が開いたとき、一方の扉に形成された送風口から他方の扉に形成された吸引口に向かって水平方向に送風された空気の流れがエアカーテンとなって、屋内外の空気の流通を遮断する。
【先行技術文献】
【特許文献】
【０００３】
【特許文献１】実開平５−７３４３６号公報
【発明の概要】
【発明が解決しようとする課題】
【０００４】
特許文献１に開示されたエアカーテン形成装置は、空気の流れる方向が一方の扉から他方の扉に向かっている。即ち、空気は、屋外と屋内との境界線上に流れている。このため、送風口から吹き出された空気が、屋内に流入する虞がある。このように、特許文献１は、屋内外の空気の流通を確実に遮断することができない。
【０００５】
本発明は、上記のような課題を解決するためになされたもので、居室空間と外部空間との空気の流通を確実に防止する空気搬送システムを提供するものである。
【課題を解決するための手段】
【０００６】
本発明に係る空気搬送システムは、居室空間と外部空間とを仕切る仕切空気を搬送する空気搬送システムであって、空気を送風する第１の送風機を有し、第１の送風機によって形成される仕切空気が通る第１の仕切開口が形成された第１の空気搬送装置と、空気を送風する第２の送風機を有し、第２の送風機によって形成される仕切空気が通る第２の仕切開口が形成された第２の空気搬送装置と、を備え、第１の仕切開口と第２の仕切開口とを結ぶ境界線の内側が居室空間、境界線の外側が外部空間となっており、第１の空気搬送装置及び第２の空気搬送装置は、第１の仕切開口に流れる仕切空気の方向と第２の仕切開口に流れる仕切空気の方向とが、外部空間に向くように配置されている。
【発明の効果】
【０００７】
本発明によれば、第１の空気搬送装置及び第２の空気搬送装置は、第１の仕切開口に流れる仕切空気の方向と第２の仕切開口に流れる仕切空気の方向とが、外部空間に向くように配置されているため、仕切空気は、境界線よりも外側の外部空間に流れる。このため、居室空間と外部空間とを仕切る仕切空気が、居室空間に流入することを確実に防止することができる。従って、居室空間と外部空間との空気の流通を確実に防止することができる。
【図面の簡単な説明】
【０００８】
【図１】本発明の実施の形態１に係る空気搬送システム１を示す斜視図である。
【図２】本発明の実施の形態１に係る空気搬送システム１を示す側面図である。
【図３】本発明の実施の形態２に係る空気搬送システム１００を示す側面図である。
【図４】本発明の実施の形態３に係る空気搬送システム２００を示す側面図である。
【図５】本発明の実施の形態４に係る空気搬送システム３００を示す側面図である。
【発明を実施するための形態】
【０００９】
実施の形態１．
以下、本発明に係る空気搬送システムの実施の形態について、図面を参照しながら説明する。図１は、本発明の実施の形態１に係る空気搬送システム１を示す斜視図である。図１に基づいて、空気搬送システム１について説明する。図１に示すように、空気搬送システム１は、居室空間４と外部空間５とを仕切る仕切空気７を搬送し、第１の空気搬送装置２と第２の空気搬送装置３とを備えている。
【００１０】
第１の空気搬送装置２は、例えば人８がいる居室空間４の天井側に設けられている。また、第１の空気搬送装置２には、仕切空気７が通る第１の仕切開口２１が形成されており、第１の仕切開口２１は、幅方向（矢印Ｘ方向）に例えば５個並べられている。なお、第１の仕切開口２１は、１個以上形成されていれば４個以下でもよく、６個以上形成されていてもよい。また、複数の第１の仕切開口２１は、幅方向（矢印Ｘ方向）の長さ及び高さ方向（矢印Ｚ方向）の長さが同じでもよいし異なっていてもよい。
【００１１】
また、第１の空気搬送装置２には、仕切空気７が通る第１の開口２２が形成されており、第１の開口２２は、幅方向（矢印Ｘ方向）に例えば１個形成されている。なお、第１の開口２２は、２個以上形成されていてもよい、また、複数の第１の仕切開口２１にそれぞれダクト（図示せず）の一端が接続され、ダクトの他端が１個の第１の開口２２に接続されている。これにより、第１の仕切開口２１と第１の開口２２とは、ダクトを介して接続されている。なお、複数の第１の仕切開口２１に、共通化された１個のダクトの一端が接続されてもよい。
【００１２】
第２の空気搬送装置３は、例えば人８がいる居室空間４の床面４ａ側に設けられている。また、第２の空気搬送装置３には、仕切空気７が通る第２の仕切開口３１が形成されており、第２の仕切開口３１は、幅方向（矢印Ｘ方向）に例えば５個並べられている。なお、第２の仕切開口３１は、１個以上形成されていれば４個以下でもよく、６個以上形成されていてもよい。また、複数の第２の仕切開口３１は、幅方向（矢印Ｘ方向）の長さ及び高さ方向（矢印Ｚ方向）の長さが同じでもよいし異なっていてもよい。
【００１３】
また、第２の空気搬送装置３には、仕切空気７が通る第２の開口３２が形成されており、第２の開口３２は、幅方向（矢印Ｘ方向）に例えば１個形成されている。なお、第２の開口３２は、２個以上形成されていてもよい、また、複数の第２の仕切開口３１にそれぞれダクト（図示せず）の一端が接続され、ダクトの他端が１個の第２の開口３２に接続されている。これにより、第２の仕切開口３１と第２の開口３２とは、ダクトを介して接続されている。なお、複数の第２の仕切開口３１に、共通化された１個のダクトの一端が接続されてもよい。
【００１４】
図２は、本発明の実施の形態１に係る空気搬送システム１を示す側面図である。図２に示すように、第１の空気搬送装置２は、第２の空気搬送装置３の位置よりも斜め上方の位置に設けられている。なお、第１の空気搬送装置２は、第２の空気搬送装置３の直上の位置に設けられていてもよい。また、第１の空気搬送装置２は、第２の空気搬送装置３の側方の位置に設けられていてもよい。第１の空気搬送装置２は、空気を送風する第１の送風機２０を有している。また、本実施の形態１では、第１の仕切開口２１が、仕切空気７を吹き出す吹出口であり、第１の開口２２が、外部空間５の空気を吸い込む吸込口である。第２の空気搬送装置３は、空気を送風する第２の送風機３０を有している。また、本実施の形態１では、第２の仕切開口３１が、仕切空気７を吹き出す吹出口であり、第２の開口３２が、外部空間５の空気を吸い込む吸込口である。なお、第１の仕切開口と第２の仕切開口とは、いずれか一方が吹出口であればよい。
【００１５】
ここで、第１の仕切開口２１と第２の仕切開口３１とを結ぶ境界線６（図２の破線）の内側が居室空間４である。居室空間４には、例えば人８がおり、例えばテーブル９が載置されている。また、境界線６の外側が外部空間５である。境界線６は、第１の仕切開口２１の高さ方向（矢印Ｚ方向）の中心点２３と、第２の仕切開口３１の高さ方向（矢印Ｚ方向）の中心点３３とを結ぶ線である。
【００１６】
第１の空気搬送装置２及び第２の空気搬送装置３は、第１の仕切開口２１に流れる仕切空気７の方向と第２の仕切開口３１に流れる仕切空気７の方向とが、外部空間５に向くように配置されている。本実施の形態１では、第１の仕切開口２１は長方形状をなしており、第１の仕切開口２１と垂直に交わる直線である第１の垂線２４が、境界線６に対し第１の設置角度θ１だけ外部空間５側に傾いている。また、第２の仕切開口３１は長方形状をなしており、第２の仕切開口３１と垂直に交わる直線である第２の垂線３４が、境界線６に対し第２の設置角度θ２だけ外部空間５側に傾いている。なお、第１の設置角度θ１と第２の設置角度θ２とは、同じでもよいし異なっていてもよい。
【００１７】
また、第１の設置角度θ１及び第２の設置角度θ２は、第１の垂線２４及び第２の垂線３４が境界線６に近くなるように、ある程度低い角度に設定される方がよい。第１の設置角度θ１及び第２の設置角度θ２が過剰に大きい場合、第１の垂線２４及び第２の垂線３４が境界線６から離れ過ぎて、仕切空気７同士が衝突するまでの距離が長くなり、居室空間４と外部空間５とを遮断し難くなる虞がある。このため、第１の設置角度θ１及び第２の設置角度θ２は、ある程度低い角度に設定される方がよい。例えば、第１の設置角度θ１及び第２の設置角度θ２は、４５°以下であることが好ましい。また、第１の設置角度θ１及び第２の設置角度θ２は、３０°以下であることが更に好ましい。
【００１８】
次に、本実施の形態１に係る空気搬送システム１の動作について説明する。第１の空気搬送装置２において、第１の送風機２０が駆動すると、外部空間５の空気は第１の開口２２から吸い込まれ、第１の開口２２に吸い込まれた空気は、第１の仕切開口２１から仕切空気７として境界線６よりも外部空間５側に向かって吹き出される。また、第２の空気搬送装置３において、第２の送風機３０が駆動すると、外部空間５の空気は第２の開口３２から吸い込まれ、第２の開口３２に吸い込まれた空気は、第２の仕切開口３１から仕切空気７として境界線６よりも外部空間５側に向かって吹き出される。第１の仕切開口２１から吹き出された仕切空気７と、第２の仕切開口３１から吹き出された仕切空気７とによって、居室空間４と外部空間５とが仕切られる。そして、第１の仕切開口２１から吹き出された仕切空気７と、第２の仕切開口３１から吹き出された仕切空気７とは、外部空間５で衝突する。衝突した仕切空気７は、衝突した位置よりも更に外側に向かって流れる。
【００１９】
本実施の形態１によれば、第１の空気搬送装置２及び第２の空気搬送装置３は、第１の仕切開口２１に流れる仕切空気７の方向と第２の仕切開口３１に流れる仕切空気７の方向とが、外部空間５に向くように配置されている。このため、仕切空気７は、境界線６よりも外側の外部空間５に流れる。よって、物理的な壁がなくても、居室空間４と外部空間５とを仕切る仕切空気７が、居室空間４に流入することを確実に防止することができる。従って、居室空間４と外部空間５との空気の流通を確実に防止することができる。そして、外部空間５から居室空間４への熱の伝達、湿気の混入及び虫の侵入等を防止することができる。
【００２０】
従来のエアカーテン形成装置として、空気の流れる方向が一方の扉から他方の扉に向かっているものが知られている。このエアカーテン形成装置は、空気が、屋外と屋内との境界線上に流れている。このため、送風口から吹き出された空気が、屋内に流入する虞がある。これでは、屋内外の空気の流通を遮断することができない。これに対し、本実施の形態１では、仕切空気７は、境界線６上ではなく、境界線６よりも外側の外部空間５に流れる。よって、居室空間４と外部空間５とを仕切る仕切空気７が、居室空間４に流入することを確実に防止することができる。また、居室空間４が、冷房、暖房又は空気清浄等の空気調和が実施されている場合、外部空間５に対して快適性を維持することができる。
【００２１】
また、本実施の形態１において、第１の仕切開口２１及び第２の仕切開口３１は、いずれも仕切空気７を吹き出す吹出口である。このため、仕切空気７が減速するよりも前に高速の状態のまま搬送されて衝突する。従って、仕切空気７による居室空間４と外部空間５との遮断性が高まる。よって、居室空間４に虫等が侵入することをより抑制することができる。また、第１の空気搬送装置２は、第２の空気搬送装置３の位置よりも斜め上方の位置に設けられている。これにより、第１の空気搬送装置２の直下に第２の空気搬送装置３が設けられている場合に比べて、居室空間４のスペースを広げることができる。
【００２２】
実施の形態２．
図３は、本発明の実施の形態２に係る空気搬送システム１００を示す側面図である。本実施の形態２は、第１の仕切開口１２１が吸込口であり、第２の仕切開口３１が吹出口である点で、実施の形態１と相違する。本実施の形態２では、実施の形態１と共通する部分は同一の符号を付して説明を省略し、実施の形態１との相違点を中心に説明する。
【００２３】
図３に示すように、第２の空気搬送装置３において、第２の送風機３０が駆動すると、外部空間５から第２の開口３２に吸い込まれた空気は、第２の仕切開口３１から仕切空気７として境界線６よりも外部空間５側に向かって吹き出される。また、第１の空気搬送装置１０２において、第１の送風機２０が駆動すると、境界線６よりも外部空間５側から第１の仕切開口１２１に吸い込まれた仕切空気７は、第１の開口１２２から外部空間５に吹き出される。第２の仕切開口３１から吹き出されて第１の仕切開口１２１から吸い込まれる円弧状の軌跡を描く仕切空気７によって、居室空間４と外部空間５とが仕切られる。
【００２４】
本実施の形態２によれば、第１の仕切開口１２１は吸込口であり、第２の仕切開口３１は吹出口である。この場合も、実施の形態１と同様に、仕切空気７は、境界線６よりも外側の外部空間５に流れる。よって、物理的な壁がなくても、居室空間４と外部空間５とを仕切る仕切空気７が、居室空間４に流入することを確実に防止することができる。従って、居室空間４と外部空間５との空気の流通を確実に防止することができる。そして、外部空間５から居室空間４への熱の伝達、湿気の混入及び虫の侵入等を防止することができる。
【００２５】
また、仕切空気７は、第２の仕切開口３１から第１の仕切開口１２１に向かって一方向に流れる。よって、居室空間４で発生した臭気等が、仕切空気７に混ざって回収される。第１の開口１２２にフィルタ等を配置することによって、臭気を含む空気がフィルタを通過するときに清浄されて、清浄された空気が外部空間５に放出される。このため、外部空間５に汚染された空気が漏洩されることを防止することができる。
【００２６】
実施の形態３．
図４は、本発明の実施の形態３に係る空気搬送システム２００を示す側面図である。本実施の形態３は、第１の仕切開口２１が吹出口であり、第２の仕切開口２３１が吸込口である点で、実施の形態１と相違する。本実施の形態３では、実施の形態１と共通する部分は同一の符号を付して説明を省略し、実施の形態１との相違点を中心に説明する。
【００２７】
図４に示すように、第１の空気搬送装置２において、第１の送風機２０が駆動すると、外部空間５から第１の開口２２に吸い込まれた空気は、第１の仕切開口２１から仕切空気７として境界線６よりも外部空間５側に向かって吹き出される。また、第２の空気搬送装置２０３において、第２の送風機３０が駆動すると、境界線６よりも外部空間５側から第２の仕切開口２３１に吸い込まれた仕切空気７は、第２の開口２３２から外部空間５に吹き出される。第１の仕切開口２１から吹き出されて第２の仕切開口２３１から吸い込まれる円弧状の軌跡を描く仕切空気７によって、居室空間４と外部空間５とが仕切られる。
【００２８】
本実施の形態３によれば、第１の仕切開口２１は吹出口であり、第２の仕切開口２３１は吸込口である。この場合も、実施の形態１及び実施の形態２と同様に、仕切空気７は、境界線６よりも外側の外部空間５に流れる。よって、物理的な壁がなくても、居室空間４と外部空間５とを仕切る仕切空気７が、居室空間４に流入することを確実に防止することができる。従って、居室空間４と外部空間５との空気の流通を確実に防止することができる。そして、外部空間５から居室空間４への熱の伝達、湿気の混入及び虫の侵入等を防止することができる。また、仕切空気７は、第１の仕切開口２１から第２の仕切開口２３１に向かって一方向に流れる。よって、居室空間４で発生した臭気等が、仕切空気７に混ざって回収される。第２の開口２３２にフィルタ等を配置することによって、臭気を含む空気がフィルタを通過するときに清浄されて、清浄された空気が外部空間５に放出される。このため、外部空間５に汚染された空気が漏洩されることを防止することができる。
【００２９】
更に、第１の空気搬送装置２が第２の空気搬送装置２０３よりも上方に設けられているため、第１の仕切開口２１から吹き出された仕切空気７は、第２の仕切開口２３１の吸引力に重力が加わることによって、円弧状の軌跡を描きながら第２の仕切開口２３１に吸い込まれる。このため、居室空間４の部屋の空気の浮力の影響を受け難い。よって、外部空間５で強い風が吹いても、仕切空気７による居室空間４と外部空間５との遮断性を維持することができる。従って、居室空間４の快適性を維持することができる。
【００３０】
実施の形態４．
図５は、本発明の実施の形態４に係る空気搬送システム３００を示す側面図である。本実施の形態４は、第１の仕切開口３２１及び第２の仕切開口３３１が、それぞれ３個の第１の副仕切開口３２１ａ及び３個の第２の副仕切開口３３１ａに区画されている点で、実施の形態１と相違する。本実施の形態４では、実施の形態１と共通する部分は同一の符号を付して説明を省略し、実施の形態１との相違点を中心に説明する。
【００３１】
図５に示すように、第１の空気搬送装置３０２の第１の仕切開口２１は、３個に区画されて高さ方向（矢印Ｚ方向）に沿って一列に並べられた３個の第１の副仕切開口３２１ａとなっている。第１の仕切開口２１には、３個の第１の副仕切開口３２１ａにそれぞれダクトが接続されており、各ダクトに、それぞれ第１の送風機２０が設けられている。即ち、３個の第１の副仕切開口３２１ａに流れる空気は、独立した風路を通過する。
【００３２】
また、第２の空気搬送装置３０３の第２の仕切開口３３１は、３個に区画されて高さ方向（矢印Ｚ方向）に沿って一列に並べられた３個の第２の副仕切開口３３１ａとなっている。第２の仕切開口３３１には、３個の第２の副仕切開口３３１ａにそれぞれダクトが接続されており、各ダクトに、それぞれ第２の送風機３０が設けられている。即ち、３個の第２の副仕切開口３３１ａに流れる空気は、独立した風路を通過する。なお、第１の仕切開口３２１及び第２の仕切開口３３１は、それぞれ４個以上に区画されていてもよい。
【００３３】
また、空気搬送システム３００は、２個の付加機能空気発生装置３１０を備えている。付加機能空気発生装置３１０は、機能が付加された付加機能空気３０７ａを発生する。付加機能空気３０７ａの例として、水蒸気が混入された空気、防虫剤が混入された空気又は紫外線カットミスト等が挙げられる。そして、付加機能空気発生装置３１０は、隣り合う両側の第１の副仕切開口３２１ａに挟まれた中間の第１の副仕切開口３２１ａと、隣り合う両側の第２の副仕切開口３３１ａに挟まれた中間の第２の副仕切開口３３１ａとに、付加機能空気３０７ａを流す。なお、両端の第１の副仕切開口３２１ａ及び両端の第２の副仕切開口３３１ａには、仕切空気７が流れる。
【００３４】
本実施の形態４によれば、空気搬送システム３００は、機能が付加された付加機能空気３０７ａを発生する付加機能空気発生装置３１０を更に備え、第１の仕切開口３２１及び第２の仕切開口３３１は、それぞれ３個以上に区画されて一列に並べられて、複数の第１の副仕切開口３２１ａ及び複数の第２の副仕切開口３３１ａとなっており、付加機能空気発生装置３１０は、隣り合う両側の第１の副仕切開口３２１ａに挟まれた第１の副仕切開口３２１ａと、隣り合う両側の第２の副仕切開口３３１ａに挟まれた第２の副仕切開口３３１ａとに、付加機能空気３０７ａを流す。このように、隣り合う両側の第１の副仕切開口３２１ａに挟まれた第１の副仕切開口３２１ａから吹き出された付加機能空気３０７ａは、両端の第１の副仕切開口３２１ａから吹き出された仕切空気７によって、挟まれている。このため、付加機能空気３０７ａが拡散することを防止することができ、付加機能空気３０７ａを遠方に到達させることができる。
【００３５】
従来、ダクトが３相に分けられ、中間相に外部空気が流入するショーケースの吹出口構造が知られている。しかし、中間相に流れる空気は、外部から取り込んだ外部空気であり、付加機能空気ではない。これに対し、本実施の形態４は、第１の副仕切開口３２１ａに付加機能空気３０７ａが流れているため、この付加機能空気３０７ａによって、例えば太陽光の侵入及び虫の侵入等を防止することができる。
【符号の説明】
【００３６】
１  空気搬送システム、２  第１の空気搬送装置、３  第２の空気搬送装置、４  居室空間、４ａ  床面、５  外部空間、６  境界線、７  仕切空気、８  人、９  テーブル、２０  第１の送風機、２１  第１の仕切開口、２２  第１の開口、２３  中心点、２４  第１の垂線、３０  第２の送風機、３１  第２の仕切開口、３２  第２の開口、３３  中心点、３４  第２の垂線、１００  空気搬送システム、１０２  第１の空気搬送装置、１２１  第１の仕切開口、１２２  第１の開口、２００  空気搬送システム、２０３  第２の空気搬送装置、２３１  第２の仕切開口、２３２  第２の開口、３００  空気搬送システム、３０２  第１の空気搬送装置、３０３  第２の空気搬送装置、３０７ａ  付加機能空気、３１０  付加機能空気発生装置、３２１  第１の仕切開口、３２１ａ  第１の副仕切開口、３３１  第２の仕切開口、３３１ａ  第２の副仕切開口。
【図１】
2018071838.tif 000003
【図２】
2018071838.tif 000004
【図３】
2018071838.tif 000005
【図４】
2018071838.tif 000006
【図５】
2018071838.tif 000007